(57)【要約】【課題】摩擦熱による刃の温度上昇を効果的に且つ他の問題を招くことなく抑制する。【解決手段】先端が櫛歯状に形成されている一対の刃１，２と、これら一対の刃を相対的に摺接させる駆動手段とを備えたバリカンである。上記一対の刃のうちの往復駆動される刃２の駆動方向両端近傍位置に、フィン６を立設している。刃が往復駆動される時、上記フィンが風を起こして内部に溜まった空気をハウジング外に放出するために、刃の温度上昇が防止される。【選択図】  図１
2005261486.tif 000002
【特許請求の範囲】
【請求項１】
先端が櫛歯状に形成されている一対の刃と、これら一対の刃を相対的に摺接させる駆動手段とを備えたバリカンであり、上記一対の刃のうちの往復駆動される刃の駆動方向両端近傍位置に、フィンを立設していることを特徴とするバリカン。
【請求項２】
上記フィンは、モータの回転運動を往復運動に変換するための部材で且つ刃に取り付けられる部材に設けられていることを特徴とする請求項１記載のバリカン。
【請求項３】
上記フィンは刃の往復動方向にほぼ直交する方向に長いものとして形成されていることを特徴とする請求項１または２記載のバリカン。
【請求項４】
上記フィンは刃の往復動方向に斜交するものとして形成されていることを特徴とする請求項１または２記載のバリカン。
【請求項５】
刃が装着されたハウジングは、フィンの往復動方向の延長線上付近にスリットを備えていることを特徴とする請求項１〜４記載のいずれか１項に記載のバリカン。
【発明の詳細な説明】
【技術分野】
【０００１】
本発明は、櫛歯状の一対の刃を相対的に摺接させることで毛の切断を行うバリカンに関するものである。
【背景技術】
【０００２】
バリカンにおける刃は、一般的には固定刃と往復駆動される可動刃とからなる櫛歯状の一対の刃で構成され、櫛歯状の部分における溝に導入した毛を櫛歯状の部分における側縁で切断するものである。このために、櫛歯状の一対の刃は、特開平１０−１２７９６１号公報（特許文献１）などに示されているように、相対的に摺接する構成となっているわけであるが、切れ味の向上等を求めて上記相対摺接速度を速めた時、摺接部の摩擦による発熱が問題となる。発熱で刃の温度が上昇して刃が接する肌に熱さを感じさせることになるためである。
【０００３】
このような温度上昇を防ぐものとして、特開２００３−１２６５７１号公報（特許文献２）には、刃の駆動用のモータに内蔵させたファンによる送風で冷却を行うものが提案されている。モータを内蔵するハウジングの外周部に設けた送風口から刃が位置する前端に向けて送風を行う上記公報に記載のものでは、羊毛などを刈り取るための動物用バリカンとしては問題はなくとも、人体の頭髪などをカットするためのものとしては、刈った毛が送風によって飛散することが問題となる。また、送風はハウジングの外面を流れるために、ハウジング内のモータの回転を往復運動に変換する部分に熱が溜まりやすく、これ故に冷却効率もさほど高くない。
【特許文献１】特開平１０−１２７９６１号公報
【特許文献２】特開２００３−１２６５７１号公報
【発明の開示】
【発明が解決しようとする課題】
【０００４】
本発明は上記の従来の問題点に鑑みて発明したものであって、摩擦熱による刃の温度上昇を効果的に且つ他の問題を招くことなく抑制することができるバリカンを提供することを課題とするものである。
【課題を解決するための手段】
【０００５】
上記課題を解決するために本発明に係るバリカンは、先端が櫛歯状に形成されている一対の刃と、これら一対の刃を相対的に摺接させる駆動手段とを備えたバリカンであり、上記一対の刃のうちの往復駆動される刃の駆動方向両端近傍位置に、フィンを立設していることに特徴を備えている。
【０００６】
刃が往復駆動される時、上記フィンが風を起こして内部に溜まった空気をハウジング外に放出するために、刃の温度上昇が防止される。
【０００７】
上記フィンは、刃に直接形成するほか、モータの回転運動を往復運動に変換するための部材で且つ刃に取り付けられる部材に設けてもよい。
【０００８】
上記フィンは刃の往復動方向にほぼ直交する方向に長いものとして形成したものや、往復動方向に斜交するものを好適に用いることができる。
【０００９】
そして、刃が装着されたハウジングは、フィンの往復動方向の延長線上付近にスリットを備えていることが好ましい。フィンによる内部空気の放出をより効果的に行うことができる。
【発明の効果】
【００１０】
本発明は、刃の摩擦熱で加熱された刃付近の内部空気が、往復駆動される刃に設けたフィンで起こされる風でハウジング外に放出されるために、刃の温度上昇が抑えられるものであり、しかも回転駆動されるファンを用いて冷却する場合のような刈った毛が飛散してしまうという問題を招くこともない。
【発明を実施するための最良の形態】
【００１１】
以下、本発明を添付図面に示す実施形態に基いて説明すると、図２に示すように、このバリカン４は、モータ（図示せず）を内蔵する本体部５と、本体部５の前端に着脱自在に装着される刃ブロック３とからなるもので、刃ブロック３は共に前端が櫛歯状に形成されている固定刃１及び可動刃２と、固定刃１が固定される固定板１１と、可動刃２上に固定された案内板１２と、案内板１２を介して可動刃２を固定刃１に押さえつけている押さえばね１４とからなるもので、上記案内板１２はその幅方向中央部にカム溝１３（図４参照）を備えている。上記モータによって回転駆動される偏心軸（図示せず）がカム溝１３に係合することで、モータの回転運動が可動刃２の往復直線運動に変換されるものである。
【００１２】
また、上記可動刃２は、固定刃１に対して往復動方向においてスライド自在となっているだけでなく、刈り高さの調節を可能とするために前後方向においてもスライド自在に保持されて、本体部５からの操作によって上記押さえばね１４を介して可動刃２を前後方向にスライドさせることができるようになっているのであるが、ここでは前後スライドに関する構成の説明は省略する。
【００１３】
なお、図１及び図３で示す可動刃２は前方側に移動して固定刃２との摺接面積が最も大きくなっている状態を、つまりは可動刃２の往復動時の摩擦による発熱が最も多くなっている状態を示している。
【００１４】
そして、往復駆動されることで固定刃１に摺接する可動刃２は、その往復動方向の両端部近傍位置に、夫々フィン６を備えている。図示例では案内板１２の前端両側縁から立設されたものとして形成されている上記フィン６は、可動刃２の往復動方向にほぼ直交する前後方向に長く且つ後端側が往復動方向と斜交するように傾斜しており、このために可動刃２が往復動を行う時、フィン６は風を起して内部の空気を本体部５の外殻及び刃ブロック３の固定板１１で構成されるハウジング外に放出する。ハウジングの側面に形成した図３に示すスリット１６は、フィン６が起こす風を抵抗なく通過させるためのもので、ハウジング前端と可動刃２との間の隙間に加えてフィン６の往復動方向の延長線上付近に上記スリット１６が存在することで、内部空気の放出がより効果的になされるようになっている。
【００１５】
なお、案内板１２の幅方向中央部に位置するカム溝１３部分の壁面も可動刃２の往復動時に風を起こすことになるが、ハウジングの内面との距離が遠い位置にあるために、内部空気を外部に放出して刃の温度上昇を防ぐという点においては、殆ど機能しない。
【００１６】
ちなみに、フィン６の高さＨを１ｍｍ、ハウジング前端と可動刃２との間の隙間及びスリット１６の幅Ｗを１ｍｍとした時、図示例のバリカンでは、フィン６を設けていないものに比して、肌に接することになる固定刃１の温度が５℃以上低くなり、このために固定刃１が肌に接しても熱いと感ずることはなかった。
【００１７】
フィン６は往復動を行う関係で、その長手方向が往復動方向とほぼ直交する前後方向となるようにしておくことが好ましいが、一部が往復動方向と斜交したり、図６に示すように全体が斜交しているものであってもよい。斜交角度に応じて、フィン６で起こされる風が出て行く方向が変化することになるが、ハウジング１６の側面にスリット１６を形成する場合、往復動方向にほぼ直交するフィン６が温度上昇の防止の点で効果的であった。
【００１８】
また、図示例では樹脂成形品である案内板１２にフィン６を設けることで、部品点数の増加を招くことなくフィン６を設けることができるようにしているが、金属板である可動刃２からの切り起こしやアウトサート成形によって可動刃２に直接フィン６を設けてもよいものである。
【図面の簡単な説明】
【００１９】
【図１】本発明の実施の形態の一例を示すもので、(a)は部分平面図、(b)はＡ−Ａ線断面図である。
【図２】同上の分解斜視図である。
【図３】同上の部分側面部である。
【図４】同上の刃ブロックの平面図である。
【図５】同上の刃ブロックの側面図である。
【図６】他例の概略平面図である。
【符号の説明】
【００２０】
１  固定刃
２  可動刃
３  刃ブロック
４  バリカン
５  本体部
６  フィン
【図１】
2005261486.tif 000003
【図２】
2005261486.tif 000004
【図３】
2005261486.tif 000005
【図４】
2005261486.tif 000006
【図５】
2005261486.tif 000007
【図６】
2005261486.tif 000008